(57)【要約】【課題】、使用者の取り扱いが可能な機能装置の一部に対しては使用者が容易に取り扱うことができ、機能装置の残部に対しては使用者が取り扱うことを不能とした便座装置を提供する。【解決手段】便座装置は、洋風便器本体１０の後部上面に固定され、機能装置２０を収納するケーシング３０と、ケーシング３０に対して回動可能に設けられた便座６０とを備えている。ケーシング３０は、ケーシング本体４０とカバー５０とからなる。ケーシング本体４０は、右側面４１Ｒと、左側面４１Ｌと、背面４１Ｂと、機能装置２０の一部を露出する開口４２ａ、４２ｂが形成され、機能装置２０の残部を隠蔽する隠蔽部４２と、便座６０を回動可能に支持する軸支部４３とを有する。カバー５０は、ケーシング本体４０の開口４２ａ、４２ｂを隠蔽可能に隠蔽部４２を覆う閉鎖状態と、開口４２ａ、４２ｂを露出する開放状態とに変位可能にケーシング本体４０に設けられている。【選択図】図１
2008297785.tif 000002
【特許請求の範囲】
【請求項１】
洋風便器本体の後部上面に固定され、機能装置を収納するケーシングと、該ケーシングに対して回動可能に設けられた便座とを備えた便座装置において、
前記ケーシングは、右側面と、左側面と、該右側面及び該左側面と連続する背面と、該右側面、該左側面及び該背面の上端に形成され、前記機能装置の一部を露出する開口が形成され、該機能装置の残部を隠蔽する隠蔽部と、該隠蔽部の前方に形成され、前記便座を回動可能に支持する軸支部とを有するケーシング本体と、
該ケーシング本体の該開口を隠蔽可能に前記隠蔽部を覆う閉鎖状態と、該開口を露出する開放状態とに変位可能に該ケーシング本体に設けられたカバーとからなることを特徴とする便座装置。
【請求項２】
前記ケーシング本体の前記右側面、前記左側面及び前記背面と前記隠蔽部との間には、左右及び背後で連続して内側に屈曲する段部が形成され、前記カバーは該ケーシング本体の該右側面、該左側面及び該背面と面一をなして該段部に載置されている請求項１記載の便座装置。
【請求項３】
前記段部は、前方に向かって前記洋風便器本体の上端まで延びる下り傾斜をなしている請求項２記載の便座装置。
【請求項４】
前記軸支部又は前記便座に回動可能に設けられた便蓋を備え、
該便蓋は、閉鎖状態において、前記ケーシング本体の前記右側面及び前記左側面と面一をなして前記便座を隠蔽可能である請求項３記載の便座装置。
【請求項５】
前記便蓋の周面は、閉鎖状態において、前記段部と平行な下縁を有している請求項４記載の便座装置。
【請求項６】
前記カバーは、前記便座側に位置する前面と、右側面と、該右側面と対称な左側面と、該右側面及び該左側面と連続する背面と、該前面、該右側面、該左側面及び該背面の上端に連続する上面とを有し、
前記便蓋の上面は、該便蓋の閉鎖状態において、該カバーの該上面と面一とされている請求項４又は５記載の便座装置。
【発明の詳細な説明】
【技術分野】
【０００１】
本発明は便座装置に関する。
【背景技術】
【０００２】
特許文献１の図６に従来の便座装置が開示されている。この便座装置は、洋風便器本体の後部に固定され、機能装置を収納するケーシングと、ケーシングに対して回動可能に設けられた便座とを備えている。このケーシングは、右側面、左側面、背面、正面及び上面が形成され、便器洗浄装置等からなる機能装置を隠蔽するケーシング本体と、このケーシング本体を覆い、便座を回動可能に支持する軸支部を有するカバーとからなる。
【０００３】
このような構成である従来の便座装置では、洋風便器本体から便座と共にカバーを取り外しても、便器洗浄装置等からなる機能装置は、ケーシング本体により隠蔽されているため、露出しない。このため、この状態で便器洗浄装置を駆動させて洋風便器本体に形成された便鉢へ洗浄水を供給し、便鉢の洗浄を行なうことができる。また、洋風便器本体から便座と共にカバーを取り外し、換わりに一般的な便座装置をケーシング本体の前方の洋風便器本体上面に取り付けることができる。
【０００４】
【特許文献１】特開２００１−１５２５３０号公報
【発明の開示】
【発明が解決しようとする課題】
【０００５】
しかし、上記従来の便座装置では、便器洗浄装置等からなる機能装置のメンテナンス等を行なう場合、先ず洋風便器本体から便座と共にカバーを取り外し、さらに洋風便器本体からケーシング本体を取り外さなければならないため手間を要する。
【０００６】
また、便器洗浄装置等からなる機能装置は、使用者がメンテナンス等をするために取り扱うことを想定しているストレーナ等と、保守上、メンテナンス業者等の専門家のみが取り扱うものであり、敢えて使用者が取り扱わない方が好ましいものとを有している。このため、この便座装置において、使用者がストレーナ等をメンテナンス等するため、洋風便器本体からケーシング本体を取り外せば、使用者が取り扱わない方が好ましいものを使用者が取り扱うことが可能になってしまい、保守上返って好ましくない事態を生じるおそれがある。
【０００７】
本発明は、上記従来の実情に鑑みてなされたものであって、使用者の取り扱いが可能な機能装置の一部に対しては使用者が容易に取り扱うことができ、機能装置の残部に対しては使用者が取り扱うことを不能とした便座装置を提供することを解決すべき課題としている。
【課題を解決するための手段】
【０００８】
本発明の便座装置は、洋風便器本体の後部上面に固定され、機能装置を収納するケーシングと、該ケーシングに対して回動可能に設けられた便座とを備えた便座装置において、
前記ケーシングは、右側面と、左側面と、該右側面及び該左側面と連続する背面と、該右側面、該左側面及び該背面の上端に形成され、前記機能装置の一部を露出する開口が形成され、該機能装置の残部を隠蔽する隠蔽部と、該隠蔽部の前方に形成され、前記便座を回動可能に支持する軸支部とを有するケーシング本体と、
該ケーシング本体の該開口を隠蔽可能に前記隠蔽部を覆う閉鎖状態と、該開口を露出する開放状態とに変位可能に該ケーシング本体に設けられたカバーとからなることを特徴とする。
【０００９】
このような構成である本発明の便座装置では、カバーを閉鎖状態から開放状態に変位させることにより、ケーシング本体の開口から露出する機能装置の一部のメンテナンス等をするために機能装置の一部を取り扱うことができる。また、この際、機能装置の残部は、隠蔽部により隠蔽されているため、取り扱いが不能とされている。
【００１０】
したがって、本発明の便座装置は、使用者の取り扱いが可能な機能装置の一部に対しては使用者が容易に取り扱うことができ、使用者が取り扱わない方が好ましい機能装置の残部に対しては使用者が取り扱うことができない。
【００１１】
また、カバーを閉鎖状態に位置させることにより、ケーシング本体の開口から水やほこりが進入することを防止することができる。また、開口が形成された隠蔽部がカバーにより覆われるため、便座後方の上面の見映えがよくなるとともに、カバー上面の拭き掃除等を容易に行なうことができる。
【００１２】
機能装置は、便座装置に機能を付加するもの又は便座装置が固定される洋風便器本体に機能を付加するものであり、例えば、便座・便蓋開閉装置、人体検知装置、便器洗浄装置、局部洗浄装置、温風乾燥装置、脱臭装置、部屋暖房装置、空気清浄装置、音楽再生装置及び照明装置の少なくとも一つの装置と、これら装置を制御する制御装置とから構成される。また、開口に露出する機能装置の一部は、使用者が取り扱い可能な機能装置の一部であり、例えば、便器洗浄装置のストレーナ挿入部の周辺部、便器洗浄装置の開閉弁の手動操作部の周辺部、局部洗浄装置のストレーナ挿入部の周辺部、脱臭装置の脱臭カートリッジ挿入部の周辺部、部屋暖房装置のフィルター挿入部の周辺部、空気清浄装置のフィルター挿入部の周辺部、音楽再生装置のメモリーカード挿入部の周辺部等である。
【００１３】
カバーとしては、ケーシング本体とは別体に形成され、ケーシング本体の上方から下降させてケーシング本体の上面を覆うもの、ケーシング本体の上面に沿ってスライドさせてケーシング本体の上面を覆うもの、ケーシング本体の上面とヒンジ等で結合され、回動させてケーシング本体の上面を覆うもの等を採用することができる。
【００１４】
本発明の便座装置において、ケーシング本体の右側面、左側面及び背面と隠蔽部との間には、左右及び背後で連続して内側に屈曲する段部が形成され、カバーはケーシング本体の右側面、左側面及び背面と面一をなして段部に載置されていることが好ましい。
【００１５】
この場合、ケーシング本体とカバーとの一体感が得られるため、便座装置はより良い見映えになる。また、段部にほこりが溜まりにくくなる。さらに、ケーシング本体及びカバーの各側面及び背面に対して、拭き掃除等を容易に行なうことができる。
【００１６】
段部は、前方に向かって洋風便器本体の上端まで延びる下り傾斜をなしていることが好ましい。この場合、ケーシング本体の側面視の形状がシャープになり、便座装置の見映えがよくなる。
【００１７】
本発明の便座装置は、軸支部又は便座に回動可能に設けられた便蓋を備え得る。この場合、便蓋は、閉鎖状態において、ケーシング本体の右側面及び左側面と面一をなして便座を隠蔽可能であることが好ましい。
【００１８】
この場合、ケーシング本体と便蓋との一体感が得られるため、便座装置はより良い見映えになる。また、ケーシング本体及び便蓋の各側面に対して、拭き掃除等を容易に行なうことができる。
【００１９】
便蓋の周面は、閉鎖状態において、段部と平行な下縁を有していることが好ましい。この場合、カバーの下縁も段部と平行であるため、カバーと便蓋との側面視形状が連続性を有することになり、カバーと便蓋との一体感が得られ、より良い見映えになる。
【００２０】
カバーは、便座側に位置する前面と、右側面と、該右側面と対称な左側面と、右側面及び左側面と連続する背面と、前面、右側面、左側面及び背面の上端に連続する上面とを有し得る。この場合、便蓋の上面は、便蓋の閉鎖状態において、カバーの上面と面一とされていることが好ましい。
【００２１】
この場合、カバーの上面と便蓋の上面との一体感が得られるため、さらに良い見映えになる。また、カバー及び便蓋の上面に対して、拭き掃除等を容易に行なうことができる。
【発明を実施するための最良の形態】
【００２２】
以下、本発明を具体化した実施例を図面を参照しつつ説明する。
【実施例】
【００２３】
図１に示すように、実施例の便座装置は、洋風便器本体１０の後部上面に固定され、機能装置２０を収納するケーシング３０と、ケーシング３０に対して回動可能に設けられた便座６０及び便蓋７０とを備えている。洋風便器本体１０は便鉢１１を有している。
【００２４】
機能装置２０は、ノズル２２を有する局部洗浄装置、温風乾燥装置２３、脱臭カートリッジ２４ａがダクトの途中に挿入された脱臭装置２４、便器洗浄装置２６（図３参照）、便座・便蓋開閉装置、人体検知装置及びこれら装置を制御する制御装置２５から構成されている。局部洗浄装置、温風乾燥装置２３、脱臭装置２４及び制御装置２５はベースプレート２１の上面に載置され、固定されている。また、図３に示すように、便器洗浄装置２６は、上流側を図示しない給水管に接続され、下流側が便鉢１１に連通されている。洗浄スイッチ２６ｓ（図４参照）を押すと、便器洗浄装置２６の開閉弁が開弁され、洗浄水が便鉢１１へ供給されて便鉢１１の洗浄を行うことができる。
【００２５】
図１に示すように、ケーシング３０は、ケーシング本体４０とカバー５０とからなる。ケーシング本体４０はベースプレート２１に螺子止めされ、ベースプレート２１が洋風便器本体１０の後部上面に図示しない取付けボルトにより固定される。図２に示すように、ケーシング本体４０は、洋風便器本体１０の前方から見て右側に位置する右側面４１Ｒと、左側に位置する左側面４1Ｌと、右側面４１Ｒ及び左側面４１Ｌと連続する背面４１Ｂとを有している。また、図１乃至図３に示すように、ケーシング本体４０は、右側面４１Ｒ、左側面４１Ｌ及び背面４１Ｂの上端に機能装置２０の一部を露出する開口４２ａ、４２ｂが形成され、開口４２ａ、４２ｂ以外の部分は機能装置２０の残部を隠蔽する隠蔽部４２とされている。さらに、ケーシング本体４０は、隠蔽部４２の前方に形成され、便座６０及び便蓋７０を回動可能に支持する軸支部４３を有している。
【００２６】
開口４２ａからは脱臭装置２４の一部が露出している。また、開口４２ｂからは便器洗浄装置２６の一部（ストレーナ機構部２６ａ及び開閉弁の手動操作ハンドル２６ｂの周辺部）が露出している。
【００２７】
また、隠蔽部４２の前部には、光学式の人体検知センサ４２ｓが取付けられている。この人体検知センサ４２ｓは洋風便器本体１０の前方の人体を検知するものである。人体検知センサ４２ｓの検知信号は、便座６０及び便蓋７０の開閉装置の駆動及び便器洗浄装置２６の開閉弁の駆動に利用される。このため、人体検知センサ４２ｓによる人体検知の有無により、自動的に便座６０又は便蓋７０を開閉させたり、自動的に洗浄水が便鉢１１へ供給されて便鉢１１の洗浄を行なわせたりすることができる。
【００２８】
軸支部４３は、横方向に延び、両端に便座６０及び便蓋７０の回動軸４３ｂが突出する凸部４３ａを有している。凸部４３ａの中央前面には、光学式の人体検知センサ４３ｓが取付けられている。この人体検知センサ４３ｓは便座６０に着座する人体を検知するものである。人体検知センサ４３ｓの検知信号は、便蓋７０の開閉装置の駆動及び便器洗浄装置２６の開閉弁の駆動に利用される。このため、人体検知センサ４３ｓによる人体検知の有無により、自動的に便蓋７０を閉鎖位置に回動させたり、自動的に洗浄水が便鉢１１へ供給されて便鉢１１の洗浄を行わせたりすることができる。
【００２９】
図１乃至図４に示すように、ケーシング本体４０の右側面４１Ｒ、左側面４１Ｌ及び背面４１Ｂと隠蔽部４２との間には、左右及び背後で連続して内側に屈曲する段部４４が形成されている。この段部４４は、前方に向かって洋風便器本体１０の上端まで延びる下り傾斜をなしている。
【００３０】
カバー５０は、段部４４に載置されている。隠蔽部４２の左右側面には、垂直方向に設けられた係止溝４２ｍと、左右水平方向に突出する係止片４２ｎとが設けられている。カバー５０の左右内面には、係止溝４２ｍに係止する凸部と、係止片４２ｎに係止する凹部とが設けられている。係止溝４２ｍにカバー５０の凸部を係止させながらカバー５０を上方から下降させ、段部４４に載置させることより、係止片４２ｎをカバー５０の凹部に係止させることができる。係止片４２ｎがカバー５０の凹部に係止しているため、一定以上の力によりカバー５０を上方に引き上げない限り、カバー５０が上方に外れないようになっている。
【００３１】
また、カバー５０は、便座６０側に位置する前面５１Ｆと、右側面５１Ｒと、右側面５１Ｒと対称な左側面５１Ｌと、右側面５１Ｒ及び左側面５１Ｌと連続する背面５１Ｂと、前面５１Ｆ、右側面５１Ｒ、左側面５１Ｌ及び背面５１Ｂの上端に連続する上面５１Ｔとを有している。カバー５０の右側面５１Ｒ、左側面５１Ｌ及び背面５１Ｂの各々がケーシング本体の右側面４１Ｒ、左側面４１Ｌ及び背面４１Ｂと面一とされている。また、図１及び図２に示すように、カバー５０の前面５１Ｆには、人体検知センサ４２ｓに対応する位置に開口５２が設けられている。
【００３２】
便蓋７０は、軸支部４３の回動軸４３ｂに軸支され、回動可能とされている。便蓋７０の周面７１Ｓは、便蓋７０の閉鎖状態において、ケーシング本体４０の右側面４１Ｒ及び左側面４１Ｌと面一をなして便座６０を隠蔽している。また、便蓋７０の周面７１Ｓは段部４４と平行な下縁７１ｕを有している。また、便蓋７０の上面７１Ｔは、便蓋７０の閉鎖状態において、カバー５０の上面５１Ｔと面一とされている。
【００３３】
図４に示すように、この便座装置は、通常の使用時において、ケーシング本体４０の開口４２ａ、４２ｂを隠蔽し、かつ隠蔽部４２を覆う閉鎖状態にカバー５０を位置させている。このため、ケーシング本体４２の開口４２ａ、４２ｂから水やほこりが進入することを防止することができる。また、この便座装置は、カバー５０、ケーシング本体４２及び便蓋７０の各々の面が面一とされ、カバー５０、ケーシング本体４２と便蓋７０との一体感が得られるため、見映えがよいとともに、拭き掃除等を容易に行なうことができる。
【００３４】
また、前方に向かって洋風便器本体１０の上端まで延びる下り傾斜をなした段部４４に対し、カバー５０の下縁と便蓋７０の下縁７１ｕとを平行にしているため、側面視形状がシャープとなり、カバー５０と便蓋７０との一体感が得られるため、より良い見映えになる。
【００３５】
また、図３に示すように、この便座装置は、カバー５０を上方へ取り外してケーシング本体４０の開口４２ａ、４２ｂを露出させる開放状態にカバー５０を位置させることにより、開口４２ａから脱臭カートリッジ２４ａを交換することができる。また、開口４２ｂからストレーナを取出し、ストレーナの目詰まりの有無の確認や洗浄をすることができる。また、停電時等には開口４２ｂから手動操作ハンドル２６ｂを操作して便器洗浄装置２６の開閉弁を開弁することにより、洗浄水を便鉢１１へ供給させて便鉢１１の洗浄を行なうことができる。また、この状態では、局部洗浄装置、温風乾燥装置２３、便座・便蓋開閉装置、人体検知装置及び制御装置２５等は取り扱うことができないように隠蔽部４２により隠蔽されている。
【００３６】
したがって、この便座装置は、使用者の取り扱いが可能な脱臭カートリッジ２４ａ、ストレーナ及び手動操作ハンドル２６ｂに対しては使用者が容易に取り扱うことができ、脱臭カートリッジ２４ａ以外の脱臭装置２４、ストレーナ及び手動操作ハンドル２６ｂ以外の便器洗浄装置２６、局部洗浄装置、温風乾燥装置２３、便座・便蓋開閉装置、人体検知装置及び制御装置２５等に対しては使用者が取り扱うことができない。
【００３７】
以上において、本発明を実施例に即して説明したが本発明は上記実施例に制限されるものではなく、その趣旨を逸脱しない範囲で適宜変更して摘要できることはいうもでもない。
【００３８】
例えば、機能装置２０に関しては、部屋暖房装置、空気清浄装置、音楽再生装置、照明装置等を有し、ケーシング３０に収納することが可能である。この場合、部屋暖房装置及び空気清浄装置のフィルター挿入部の周辺部、音楽再生装置のメモリーカード挿入部の周辺部が露出するように、ケーシング本体４０の隠蔽部４２に開口を形成し、使用者がメンテナンス等を行なえるようにすることが可能である。
【産業上の利用可能性】
【００３９】
本発明は洋風水洗式便器に利用可能である。
【図面の簡単な説明】
【００４０】
【図１】実施例の便座装置の分解斜視図である。
【図２】実施例の便座装置に係り、カバー及び便蓋を取り外した状態を示す斜視図である。
【図３】実施例の便座装置に係り、カバーを取り外した状態を示す斜視図である。
【図４】実施例の便座装置の側面図である。
【符号の説明】
【００４１】
１０…洋風便器本体
２０…機能装置
３０…ケーシング
４０…ケーシング本体
４１Ｒ…右側面
４１Ｌ…左側面
４１Ｂ…背面
４２ａ、４２ｂ…開口
４２…隠蔽部
４３…軸支部
５０…カバー
６０…便座
【図１】
2008297785.tif 000003
【図２】
2008297785.tif 000004
【図３】
2008297785.tif 000005
【図４】
2008297785.tif 000006